(57)【特許請求の範囲】
【請求項１】
筐体内にアンテナエレメントとカメラユニットと撮影用のライトを有する携帯無線端末にあって、
前記筐体内の上部に前記アンテナエレメントおよび当該アンテナエレメントに給電する給電点を載置し、
前記筐体内で、受光部を前記筐体の奥行き方向背面側に向けて前記アンテナエレメントの下部に近接してカメラユニットを載置し、
前記カメラユニットをシールドするカメラシールド板を載置し、
前記カメラシールド板の前記背面側近辺から前記アンテナエレメントの方向に向かって張り出した梁構造の梁シールド板と、
前記梁シールド板に搭載した印刷基板と、
前記印刷基板に搭載して前記背面側方向を照射する撮影用のライトとを
具備することを特徴とする携帯無線端末。
【請求項２】
筐体内にアンテナエレメントとカメラユニットと撮影用のライトとスピーカを有する携帯無線端末にあって、
前記筐体内の上部に前記アンテナエレメントおよび当該アンテナエレメントに給電する給電点を載置し、
前記筐体内で、受光部を前記筐体の奥行き方向背面側に向けて前記アンテナエレメントの下部に近接してカメラユニットを載置し、
前記カメラユニットをシールドするカメラシールド板を載置し、
前記カメラユニットの受光部の左右方向に載置したスピーカと、
前記カメラシールド板の前記背面側近辺から前記アンテナエレメントの方向に向かって張り出した梁構造の梁シールド板と、
前記梁シールド板に搭載した印刷基板と、
前記印刷基板に搭載して前記背面側方向を照射する撮影用のライトとを
具備することを特徴とする携帯無線端末。
【発明の詳細な説明】
【技術分野】
【０００１】
本発明は、カメラ付きの携帯無線端末の構造に関するもので、特に、カメラとアンテナが近接した構造の携帯無線端末に関する。
【背景技術】
【０００２】
カメラとアンテナが近接した構造の折畳型携帯無線機器がある（例えば、特許文献１参照。）。この特許文献１の折畳型携帯無線機器にあっては、下筐体のヒンジ部近傍にカメラとアンテナが近接して配置されている。そして、カメラから発せられるノイズの影響でアンテナ性能が劣化することを防ぐために、カメラのＧＮＤ側に板状素子を配置することでアンテナ性能を向上させている。  
また、カメラを金属板等でシールドしてアンテナの近傍に配置した携帯無線端末がある。この携帯無線端末にあっては、カメラには高速のＤＳＰ等が使用されてノイズ源となってアンテナ性能に影響を及ぼすため、カメラを金属板でシールドしている。しかし、金属板とアンテナとの距離が近いと、やはりアンテナ性能の劣化を及ぼすために、シールドされたカメラとアンテナとの距離を離して配置している。
【特許文献１】特開２００５−１３６６６８号公報（第５〜７頁、図１〜図４）
【発明の開示】
【発明が解決しようとする課題】
【０００３】
従来の特許文献１の折畳型携帯無線機器にあっては、カメラとアンテナとの近接構造において、アンテナ性能を確保するための両者の相対位置関係についての記載はない。  
また、従来の携帯無線端末にあっては、シールドされたカメラとアンテナとの配置に対応するアンテナ性能について基準がなく、また、その基準を考慮して更にカメラ用のライトの配置をどのように行えばよいかが明確でない。
【０００４】
本発明は、シールドしたカメラ、カメラ用ライトおよびアンテナ等の相互配置に関して、限られたスペースの中でアンテナ性能を確保できる相互配置を明確にした携帯無線端末を提供することを目的とする。
【課題を解決するための手段】
【０００５】
上記目的を達成するために、本発明の携帯無線端末は、筐体内にアンテナエレメントとカメラユニットと撮影用のライトを有する携帯無線端末にあって、前記筐体内の上部に前記アンテナエレメントおよび当該アンテナエレメントに給電する給電点を載置し、前記筐体内で、受光部を前記筐体の奥行き方向背面側に向けて前記アンテナエレメントの下部に近接してカメラユニットを載置し、前記カメラユニットをシールドするカメラシールド板を載置し、前記カメラシールド板の前記背面側近辺から前記アンテナエレメントの方向に向かって張り出した梁構造の梁シールド板と、前記梁シールド板に搭載した印刷基板と、前記印刷基板に搭載して前記背面側方向を照射する撮影用のライトとを具備することを特徴とする。
【発明の効果】
【０００６】
本発明によれば、シールドしたカメラ、カメラ用ライトおよびアンテナ等の相互配置に関して、限られたスペースの中でアンテナ性能を確保できる相互配置を得ることが可能となる。
【発明を実施するための最良の形態】
【０００７】
以下、本発明の実施例を、図面を参照して説明する。
【実施例】
【０００８】
図１は、本発明の実施例に係る携帯無線端末の外観図であり、図１（ａ）は搭載したカメラが被写体に向けられる背面側を示す背面図、図１（ｂ）はその側面図である。携帯無線端末１００をユーザが手に持って通話状態の時の位置を基に、Ｙ方向（上下方向）、Ｘ方向（左右方向）、Ｚ方向（奥行き方向）と以下記載する。  
携帯無線端末１００は、折畳式の構造であり、上筐体７と下筐体１がヒンジ２０により回動自在に係合している。図示した構造は、下筐体１にアンテナユニット５とカメラユニット２を内蔵した構造である。
【０００９】
上筐体７の正面２１側には、図示しない主表示部２４が配置される。下筐体１の正面１４側には、図示しない操作キー２３が配置される。上筐体７の背面側には、副表示部２５が配置される。下筐体１は携帯無線端末１００のユーザが手に持つ部分であり、アンテナの電波送信受信およびカメラ撮影に対する手の影響を避けるために、アンテナユニット５とカメラユニット２は、共に、下筐体１の上筐体７に近い部分に配置される。従って、携帯無線端末１００の限られた小型の構造上、アンテナユニット５とカメラユニット２は必然的に近接して配置される。
【００１０】
カメラユニット２は、図示しないＣＣＤ、レンズ、ＤＳＰ等を有し、背面側の外部からレンズ窓９を経て画像光を取り込み、画像データに変換する。ＤＳＰは、高速動作を行うことによりノイズ源となるおそれがある。そのために、カメラユニット２は、アンテナユニット５との間にシールド目的の金属製のカメラシールド板１６（図示せず）を備える。
【００１１】
また、カメラユニット２は、余ったスペースを利用して、レンズ窓９の左右方向にスピーカ８およびスピーカ１１を搭載し、背面側に向けて音を放出する音楽再生用の左右ステレオ音源とする。携帯無線端末に高音質の音楽再生機能を備えることが多くなり、左右ステレオ音源のスピーカ配置として、カメラユニット２のレンズ窓９の左右方向の位置は最適である。また、カメラ撮影で周辺が暗いときの光源として、撮影用のライト４をカメラ近辺の背面側に向けて配置する必要がある。カメラユニット２の部分には、スピーカ８およびスピーカ１１が配置されているので、ユーザの手に遮られない場所として、カメラユニット２とアンテナユニット５との間部分に配置するのがよい。
【００１２】
図２は、本発明の実施例に係る携帯無線端末のアンテナ空間体積と放射効率の関係を説明するグラフである。横軸はアンテナ空間体積［立方ｍｍ］、縦軸は放射効率［ｄＢ］である。このグラフのカーブは、途中で飽和が始まっていることがわかる。また、アンテナ空間体積が大きい程、放射効率が良くなることがわかる。アンテナ性能は、この図に示したアンテナ空間体積以外の要因では、アンテナ出力や無線回路出力によっても性能が決まってくる。
【００１３】
図３は、本発明の実施例に係る携帯無線端末のアンテナとカメラ実装部分の構造図であり、図３（ａ）はその背面図、図３（ｂ）はその側面図である。図１を図面上で右９０度回転させた状態で、アンテナとカメラ実装部分の詳細を示したものであり、説明をわかりやすくするために、一部を断面図および透視した状態で示す。図２で説明したアンテナ空間体積を確保できる構造について説明する。なお、図１で説明した部分は説明を概ね省略する。
【００１４】
カメラユニット２は、印刷基板１３に電気的に接続される。カメラユニット２に搭載されたＤＳＰは、高速動作を行うことによりノイズ源となるおそれがある。そのために、カメラユニット２は、アンテナユニット５との間にシールド目的の金属製のカメラシールド板１６を備える。このカメラシールド板１６は印刷基板１３の図示しないＧＮＤパターンに接続される。
【００１５】
また、カメラ撮影で周辺が暗いときの光源として、撮影用のライトをカメラ近辺の背面１２側に向けて配置する必要がある。つまり、有効な照射角を確保できるように、背面１２側の穴の大きさを考慮して背面１２側に向けて配置する。カメラユニット２の部分には、スピーカ８およびスピーカ１１が配置されているので、ユーザの手に遮られない場所として、カメラユニット２とアンテナユニット５との間部分に配置するのがよい。その場合、アンテナの安定した放射効率を得るためのアンテナ空間体積を確保することが望ましい。次に、この撮影用のライトの配置について説明する。
【００１６】
カメラシールド板１６は、背面１２側に近い部分からアンテナユニット５の方向に向かって、梁シールド板１５を張り出した構造とする。カメラシールド板１６と梁シールド板１５は、一体構造でもよいし、繋ぎ合わせた構造でもよい。そして、梁シールド板１５に印刷基板３を搭載し、更に印刷基板３にカメラ撮影用の光源であるライト４を搭載する。これにより、ライト４を背面１２に近い位置に配置して、外部へ光を照射しやすい位置にすることができる。また、このように梁構造とすることにより、梁シールド板１５と印刷基板１３との間に空間部１７を確保することができる。なお、印刷基板３を設けずに、梁シールド板１５に直接、ライト４を搭載する構造としてもよい。
【００１７】
アンテナユニット５は、金属性のアンテナエレメント６を樹脂等で保持する構造である。アンテナエレメント６は、アンテナバネ１９により、印刷基板１３上の給電点１８と接続される。アンテナの性能に影響を及ぼすアンテナ空間について説明する。アンテナは近傍に金属があると、放射効率が低下する。従って、アンテナ空間は、アンテナエレメント６および給電点１８を包含し、アンテナエレメント６の近傍の金属部分であるカメラシールド板１６近辺までの空間と定義される。
【００１８】
アンテナ空間に関連するのは、アンテナエレメント６の幅「Ｗ」、カメラシールド板１６からアンテナエレメント６の最遠部までの高さ「Ｈ」、アンテナエレメント６の端部から給電点１８までの奥行き「Ｄ」である。また、ライト４が搭載される印刷基板３および梁シールド板１５部分の幅「ＬＷ」、高さ「ＬＨ」、奥行き「ＬＤ」である。この状態で、アンテナ空間の体積は次のように概略定義される。
【００１９】
アンテナ空間＝Ｗ・Ｈ・Ｄ−ＬＷ・ＬＨ・ＬＤ。すなわち、「Ｗ」「Ｈ」「Ｄ」の積から「ＬＷ」「ＬＨ」「ＬＤ」の積を差し引いた空間である。このライト４が搭載される印刷基板３および梁シールド板１５部分の体積「ＬＷ・ＬＨ・ＬＤ」は、体積「Ｗ・Ｈ・Ｄ」に比べると無視できる程度に小さい。また、梁構造としないでライト４を印刷基板１３から直接立ち上げた構造に比べると、空間部１７の大きな空間を確保することができる。
【００２０】
このアンテナ空間＝Ｗ・Ｈ・Ｄ−ＬＷ・ＬＨ・ＬＤの内、ライト４が搭載される印刷基板３および梁シールド板１５部分の体積「ＬＷ・ＬＨ・ＬＤ」は小さいために、アンテナ空間への影響が少ない。従って、アンテナユニット５、カメラユニット２、およびライト４を、小型の携帯無線端末の中に近接して配置することができる。
【００２１】
なお、ライト４が搭載される印刷基板３および梁シールド板１５部分を体積「Ｗ・Ｈ・Ｄ」内に配置する構造としたが、背面１２側に余裕がある場合は、体積「Ｗ・Ｈ・Ｄ」の外側で背面１２側部分に配置してもよい。また、カメラシールド板１６と梁シールド板１５は、金属板で構成したが、モールドに金属メッキを施した構造でもよい。  
また、アンテナユニットの近傍にカメラユニットを配置した例について説明したが、アンテナユニットの近傍に他の金属を有するユニット等を配置する場合にも適用できる。また、携帯無線端末に限らず、アンテナを有する他の電子機器にも適用できる。
【００２２】
図４は、本発明の実施例に係る携帯無線端末のブロック図である。携帯無線端末１００は、ライト４、印刷基板３、カメラユニット２、スピーカ８、スピーカ１１、アンテナユニット５、アンテナバネ１９、給電点１８、印刷基板１３、制御部２２、操作キー２３、主表示部２４、副表示部２５などから構成される。
【００２３】
制御部２２は、携帯無線端末１００の全体の制御を行う。ライト４は印刷基板３に搭載され、カメラユニット２を経由して制御部２２の制御を受ける。カメラユニット２は、図示しないＣＣＤ、レンズ、ＤＳＰ等を有し、画像を撮影して画像データに変換する。ＤＳＰは、高速動作を行うことによりノイズ源となるおそれがある。そのため、カメラユニット２とアンテナユニット５との間にカメラシールド板１６（図示せず）を設ける。なお、印刷基板３は、電気的にはカメラユニット２を経由しないで直接に印刷基板１３に接続してもよい。
【００２４】
スピーカ８、スピーカ１１は、制御部２２の制御により、音楽再生用の左右ステレオ音源として音を放出する。なお、スピーカ８、スピーカ１１は、電気的には印刷基板１３からカメラユニット２を経由して接続してもよい。  
アンテナユニット５は、図示しない無線基地局との間で電波の送信受信を行う。アンテナユニット５は、アンテナバネ１９、給電点１８を経由して印刷基板１３に接続される。アンテナユニット５は、安定した放射効率を得るために、周辺にアンテナ空間体積を確保する必要がある。そのため、図３で説明した構造を備える。操作キー２３は、ユーザの入力手段である。主表示部２４および副表示部２５は、ユーザへの出力手段である。
【００２５】
以上説明したように、本発明の実施例によれば、小型の携帯無線端末のように限られたスペースの中で、シールドしたカメラ、カメラ用ライトおよびアンテナ等の相互配置に関して、アンテナ性能を確保できる相互配置を得ることが可能となる。
【図面の簡単な説明】
【００２６】
【図１】本発明の実施例に係る携帯無線端末の外観図。
【図２】本発明の実施例に係る携帯無線端末のアンテナ空間体積と放射効率の関係を説明するグラフ。
【図３】本発明の実施例に係る携帯無線端末のアンテナとカメラ実装部分の構造図。
【図４】本発明の実施例に係る携帯無線端末のブロック図。
【符号の説明】
【００２７】
１  下筐体
２  カメラユニット
３  印刷基板
４  ライト
５  アンテナユニット
６  アンテナエレメント
７  上筐体
８  スピーカ
９  レンズ窓
１０  受光部
１１  スピーカ
１２  背面
１３  印刷基板
１４  正面
１５  梁シールド板
１６  カメラシールド板
１７  空間部
１８  給電点
１９  アンテナバネ
２０  ヒンジ
２１  正面
２２  制御部
２３  操作キー
２４  主表示部
２５  副表示部
１００  携帯無線端末
【図１】
0004406390.tif 000002
【図２】
0004406390.tif 000003
【図３】
0004406390.tif 000004
【図４】
0004406390.tif 000005